(57)【要約】【課題】  ガスメータや水道メータ等の検針データ、及び測定器やセンサ機器のデータを送信する装置において、外付けの電波防止用フィルタを追加することなく、電波混入を防止する。【解決手段】  検針装置５からのデータをＤＳＬ信号も流れる電話回線３へ送出するデータ送信装置であって、電波混入を防止する電波混入防止フィルタ４１を、切り替え部４２と網制御部４３の間に挿入し、電話回線３側からの電波混入１０４と宅内配線７側からの電波混入１０５を同時に防止する。【選択図】  図２
2007142932.tif 000002
【特許請求の範囲】
【請求項１】
ＤＳＬ信号も流れる電話回線と電話端末またはＤＳＬ端末の間に挿入され、前記ＤＳＬ信号と電話帯域の信号を分離する信号分離アダプタを介して、電話帯域のデータ信号を該電話回線へ送信するデータ送信装置であって、データ機器接続手段と、前記データ機器からのデータを該電話回線へ送信するデータ送信制御手段と、データ送信時に電話端末を該電話回線から切り離す切替え制御手段と、回線又は配線からの電波混入を防止する電波混入防止フィルタを具備すると共に、前記電波混入防止フィルタを前記切替え制御手段と前記データ送信制御手段の間に挿入し、前記電話回線からの電波混入と前記信号分離アダプタから回り込む電波混入を同時に防止することを特徴とするＤＳＬ対応データ送信装置。
【発明の詳細な説明】
【技術分野】
【０００１】
本発明は、ガスメータや水道メータ等の検針装置、及び測定器やセンサ機器等からのデータを電話回線経由でデータ収集センター等に送信するシステムにおいて、電波混入を防止する機能を有するデータ送信装置に関するものである。
【背景技術】
【０００２】
従来の検針データ送信装置等において、電話回線からの電波混入を防止するため、電話機用コードをコイル状に形成する工夫がなされている（例えば、特許文献１参照）。しかし、この方法では電話機用コードが特殊になること、及び電波混入の防止能力が低いことから、電波混入防止用フィルタを内蔵するのが通例である。
図３は従来の検針データ送信装置４０によるシステム構成図であり、図４は従来の検針データ送信装置４０のブロック構成図である。センター１と検針装置５とは電話回線３を介して接続される。この電話回線３は通常電話機８と接続されているが、検針データ送信時は切り替え部４２により電話機８は電話回線３から切り離される。ここで、電話線３の近傍に強い電波を発する電波塔９が存在している場合、電波塔９からの電波が電話回線３に混入する（電波混入１０）。この電波混入が検針データ送信装置４０の中枢に到達すると、送信指示コマンド等のセンター１からの信号受信が不能になると共に、検針データ送信装置４０自体が誤動作することもある。検針データ送信装置４０内のフィルタ４１はこの電波混入１０を防止するためのものである。
【０００３】
しかし、このような工夫があっても、この電話回線３がＤＳＬ等の高速データ通信兼用回線であった場合、図１に示すＤＳＬ信号を分離するアダプタ１１を介して電話回線及び宅内配線が接続されているので、この分離するアダプタ１１の内部から回り込む電波混入を防止することができなかった。すなわち、図２に示す電波混入１０がアダプタ１１のハイパスフィルタ１１１，ローパスフィルタ１１３を介して回り込み（電波混入１０２，電波混入１０３）、図４に示す検針データ送信装置４の網制御部４３に到達する（電波混入１０５，電波混入１０６）。
【０００４】
従って、電話回線３がＤＳＬ兼用回線であった場合は、内蔵のフィルタ４１に加え、別の電波混入防止用フィルタ（図示せず）を信号分離アダプタ１１のローパスフィルタ１１３と検針データ送信装置４０の間に外付けで設置する必要があった。このため、設置工事に余分な追加工数と外付けの電波混入防止フィルタの追加費用が発生してしまうという欠点があった。
【特許文献１】特公昭６０−２０９３９７号公報
【発明の開示】
【発明が解決しようとする課題】
【０００５】
本発明は、外付けの電波防止用フィルタを追加することなく、電波混入を防止できるデータ送信装置を提供することにある。
【課題を解決するための手段】
【０００６】
上記課題を解決するために、本発明は、ＤＳＬ信号も流れる電話回線と電話端末またはＤＳＬ端末の間に挿入され、前記ＤＳＬ信号と電話帯域の信号を分離する信号分離アダプタを介して、電話帯域のデータ信号を該電話回線へ送信するデータ送信装置であって、データ機器接続手段と、前記データ機器からのデータを該電話回線へ送信するデータ送信制御手段と、データ送信時に電話端末を該電話回線から切り離す切替え制御手段と、回線又は配線からの電波混入を防止する電波混入防止フィルタを具備すると共に、前記電波混入防止フィルタを前記切替え制御手段と前記データ送信制御手段の間に挿入し、前記電話回線からの電波混入と前記信号分離アダプタから回り込む電波混入を同時に防止することを特徴とする。
【発明の効果】
【０００７】
本発明によれば、電話回線を使用する測定データ送信装置において、ＤＳＬ信号分離アダプタを接続しても、外付けの電波混入防止フィルタを追加することなく、電波混入を確実に防止することができる利点がある。
【発明を実施するための最良の形態】
【０００８】
以下、測定データとして、ガスメータや水道メータ等の検針データを送信する検針データ送信装置を例にして本発明の構成を説明する。なお、この検針データ送信装置は一例であって、本発明は電話回線に接続して測定器やセンサ等からのデータを送信するデータ送信装置一般に適用可能である。
【０００９】
図１は、本発明の検針データ送信装置４を適用した実施例のシステム構成図である。本発明にかかる検針データ送信装置４は、信号分離アダプタ１１を介して電話回線３と宅内配線７に接続される。また、この検針データ送信装置４の配下にはガスメータや水道メータ等の検針装置５が接続される。検針装置５の検針データは、定期的又は所定のタイミングで、検針データ送信装置４により、電話回線３と交換機２を経由してセンター１に送信される。
【００１０】
図２は、本発明の検針データ送信装置４と信号分離アダプタ１１のブロック構成図である。信号分離アダプタ１１は電話回線３と交換機２を経由してセンター１と接続される。また、宅内配線７を経由して、スプリッタ１２、電話機８、ＤＳＬモデム１３に接続される。
【００１１】
検針データ送信装置４は、切り替え部４２と、電波混入防止用フィルタ４１と、網制御部４３と、制御部４４を有して構成される。
【００１２】
信号分離アダプタ１１は、ハイパスフィルタ１１１と、ローパスフィルタ１１２と、ローパスフィルタ１１３を有して構成される。電話回線３及び宅内配線７の中を流れる電話音声信号は、ローパスフィルタ１１２，ローパスフィルタ１１３及び切り替え部４２を通過する。
【００１３】
切り替え部４２は、信号分離アダプタ１１を経由して電話回線３に接続され、検針データ送信時には、宅内配線７に接続されている電話機８等を電話回線３から切り離す回路である。
【００１４】
電波混入防止用フィルタ４１は、切り替え部４２と、網制御部４３の間に接続され、電話回線３側と宅内配線７側から混入する電波を防止するフィルタである。
【００１５】
網制御部４３は、電波混入防止用フィルタ４１と、切り替え部４２を経由し電話回線３に接続され、電話回線３へのダイヤル発信と、検針データ送信を行うためのインターフェース回路である。
【００１６】
制御部４４は、検針装置５からの検針データをモデム信号に変換し、網制御部４３と、電波混入防止フィルタ４１と、切り替え部４２と、信号分離アダプタ１１を経由し、電話回線３へ送出する機能を有する。
【００１７】
本装置の電波混入防止手段について、図１及び図２を用いて説明する。電波塔９から出力された電波は、波長が長いため電話回線３に電波混入し（電波混入１０）、信号分離アダプタ１１内のローパスフィルタ１１２を経由し、検針データ送信装置４に到達する（電波混入１０１）。検針データ送信装置４に混入した電波（電波混入１０４）は、切り替え部４２を経由し（電波混入１０６）、網制御部４３と、制御部４４に電波混入しようとするが、切り替え部４２と、網制御部４３の間に挿入された電波混入防止フィルタ４１により電波混入を防止する。
一方、信号分離アダプタ１１に混入した電波は、ハイパスフィルタ１１１を経由し宅内配線７側にも電波混入し（電波混入１０２）、ローパスフィルタ１１３を経由した混入電波が検針データ送信装置４の宅内配線７側に到達する（電波混入１０３）。そして、検針データ送信装置４内に混入し（電波混入１０５）、切り替え部４２を経由し、網制御部４３と、制御部４４に電波混入しようとする（電波混入１０６）。しかし、切り替え部４２と、網制御部４３に挿入された電波混入防止フィルタ４１により電波混入を防止する。
以上説明したように、電波混入防止用フィルタ４１を切り替え部４２と網制御部４３の間に挿入することにより、電話回線３側からの電波混入１０１と宅内配線７側からの電波混入１０３を同時に防止することが出来る。従って、本発明によれば、電波混入防止用フィルタを増設する必要がなく経済的である。
【図面の簡単な説明】
【００１８】
【図１】本発明のＤＳＬ対応検針データ送信装置を適用したシステム構成図
【図２】本発明のＤＳＬ対応検針データ送信装置の内部構成ブロック図
【図３】従来の検針データ送信装置を適用したシステム構成図
【図４】従来の検針データ送信装置の内部構成ブロック図
【符号の説明】
【００１９】
１    検針センター
２    交換機
３    電話回線
４    本発明の検針データ送信装置
４０  従来の検針データ送信装置
４１  電波混入防止用フィルタ
４２  切り替え部
４３  網制御部
４４  制御部
５    検針装置
６    宅内
７    宅内配線
８    電話機
９    電波塔
１０，１０１〜１０６  電波混入
１１    信号分離アダプタ
１１１  ハイパスフィルタ
１１２，１１３  ローパスフィルタ
１２    スプリッタ  
１３    ＤＳＬモデム
【図１】
2007142932.tif 000003
【図２】
2007142932.tif 000004
【図３】
2007142932.tif 000005
【図４】
2007142932.tif 000006